(57)【要約】【課題】ホルダー部材が把持板の端部から突出することなく、ビス等を捩じ込んだり緩めたりする作業に支障をきたすことなく、しかもホルダー部材が緩んでツール部の把持板への保持に支障をきたすことのないオフセット型ドライバーを提供する。【解決手段】短寸のツール部１、板厚ｔとした把持板２、及びＣリングとしたホルダー部材３とからなり、ツール部は保持部１ｂに把持板の板厚ｔと略同一の間隔をあけてリング状の係止溝４ａ、４ｂを凹設し、把持板は一端部にツール部の保持部が回動不能に嵌り込む嵌合孔２ａを貫通形成し、ホルダー部材はツール部の保持部に凹設した係止溝４ａ、４ｂにそれぞれ嵌り込む内径を有するものとし、把持板の嵌合孔にツール部を挿入し、このツール部の保持部の係止溝４ａ、４ｂの間に把持板を配置するようにして、これら係止溝４ａ、４ｂにホルダー部材３を嵌め込むことにより、ツール部１を把持板２に回動不能に保持した。【選択図】図２
0003138557.tif 000002
【実用新案登録請求の範囲】
【請求項１】
短寸のツール部（１）、板厚（ｔ）とした把持板（２）、及びＣリングとしたホルダー部材（３）とからなり、ツール部（１）は保持部（１ｂ）に把持板（２）の板厚（ｔ）と略同一の間隔をあけてリング状の係止溝（４ａ、４ｂ）を凹設し、把持板（２）は一端部にツール部（１）の保持部（１ｂ）が回動不能に嵌り込む嵌合孔（２ａ）を貫通形成し、ホルダー部材（３）はツール部（１）の保持部（１ｂ）に凹設した係止溝（４ａ、４ｂ）にそれぞれ嵌り込む内径を有するものとし、把持板（２）の嵌合孔（２ａ）にツール部（１）を挿入し、このツール部（１）の保持部（１ｂ）の係止溝（４ａ、４ｂ）の間に把持板（２）を配置するようにして、これら係止溝（４ａ、４ｂ）にホルダー部材（３）をそれぞれ嵌め込むことにより、ツール部（１）を把持板（２）に回動不能に保持したことを特徴とするオフセット型ドライバー。
【請求項２】
前記ツール部（１）の保持部（１ｂ）を角柱状とし、前記把持板（２）の嵌合孔（２ａ）を前記ツール部（１）の保持部（１ｂ）が丁度嵌り込む角孔としたことを特徴とする請求項１記載のオフセット型ドライバー。
【請求項３】
前記把持板（２）の他端部にボルトやナットを嵌め込んで捩じ込んだり緩めたりする嵌合孔（２ｂ）を貫通形成したことを特徴とする請求項１記載のオフセット型ドライバー。
【請求項４】
前記把持板（２）を長手方向における中間位置で１０〜２０度の曲げ角度を持たせたことを特徴とする請求項１記載のオフセット型ドライバー。
【考案の詳細な説明】
【技術分野】
【０００１】
この考案は、狭い作業空間において、ビス等を捩じ込んだり緩めたりするのに適したオフセット型ドライバーに関するものである。
【背景技術】
【０００２】
従来、この種のオフセット型ドライバーとしては、例えば図１３、１４に示したように、ツール部１１、把持板１２及びホルダー部材１３とからなるものが存在する。
【０００３】
前記ツール部１１は、短寸のビット等としており、一端側に刃部１１ａを設け、中間部を保持部1 １ｂとし、他端側に基端部１１ｃを一体的に設けたものとし、この刃部１１ａと基端部１１ｃには、保持部１１ｂを除きリング状の係止溝１４ａ、１４ｂが凹設されている。保持部１１ｂの寸法は、後に述べる把持板１２の板厚ｔと略同一の寸法からなるものとしている。
【０００４】
前記把持板１２は、板厚ｔの細長の板からなり、その一端部には六角孔１２ａが貫通形成されている。この六角孔１２ａは、前記ツール部１１の基端部１１ｃが嵌り込む形状、寸法としている。
【０００５】
前記ホルダー部材１３は、薄板を略コ字状に折り曲げたものとしており、内幅寸法は把持板１２の板厚ｔと略同寸法とし、略コ字状に折り曲げられた向い合う折曲片１３ａにはツール部１１の係止溝１４ａ、１４ｂに嵌り込む内径を有する略半円状の係着部１３ｂ、１３ｂが形成されている。
【０００６】
そして、これらツール部１１、把持板１２及びホルダー部材１３とからなるオフセット型ドライバーを組み立てるには、先ず把持板１２の六角孔１２ａにツール部１１を挿入するが、ツール部１１の保持部１１ｂは把持板１２の板厚ｔと略同一の寸法からなるため、把持板１２の表裏面には係止溝１４ａ、１４ｂが近接して露出する。この状態で把持板１２の端縁側からホルダー部材１３を挿入し、その係着部１３ｂ、１３ｂをツール部１１の係止溝１４ａ、１４ｂに嵌め込むことにより、ツール部１１は把持板１２に回動不能に保持されるようにしている（特許文献１）。
【特許文献１】実用新案登録第３１２０７６２号公報（第３、４頁、図１〜４）
【考案の開示】
【考案が解決しようとする課題】
【０００７】
しかしながら、上記従来のオフセット型ドライバーでは、ホルダー部材１３の略コ字状に折り曲げた部分の一部が把持板１２の端部から突出するので、ビス等を捩じ込んだり緩めたりする場合に、前記ホルダー部材１３の突出部分が狭い作業空間においては邪魔になり、その作業に支障をきたすことがあるという問題点を有していた。
【０００８】
さらに、上記従来のオフセット型ドライバーでは、前記ホルダー部材１３の突出部分が作業面等に当たったりした場合、ホルダー部材１３が緩んでツール部１１の把持板１２への保持に支障をきたす場合があるという問題点を有していた。
【０００９】
そこで、この考案は、上記従来の問題点を解決するものであり、ホルダー部材が把持板の端部から突出することなく、ビス等を捩じ込んだり緩めたりする作業に支障をきたすことなく、しかもホルダー部材が緩んでツール部の把持板への保持に支障をきたすことのないオフセット型ドライバーを提供することを目的としてなされたものである。
【課題を解決するための手段】
【００１０】
この考案のオフセット型ドライバーは、短寸のツール部１、板厚ｔとした把持板２、及びＣリングとしたホルダー部材３とからなり、ツール部１は保持部１ｂに把持板２の板厚ｔと略同一の間隔をあけてリング状の係止溝４ａ、４ｂを凹設し、把持板２は一端部にツール部１の保持部１ｂが回動不能に嵌り込む嵌合孔２ａを貫通形成し、ホルダー部材はをツール部１の保持部１ｂに凹設した係止溝４ａ、４ｂにそれぞれ嵌り込む内径を有するものとし、把持板２の嵌合孔２ａにツール部１を挿入し、このツール部１の保持部１ｂの係止溝４ａ、４ｂの間に把持板２を配置するようにして、これら係止溝４ａ、４ｂにホルダー部材３をそれぞれ嵌め込むことにより、ツール部１を把持板２に回動不能に保持したものとしている。
【００１１】
そして、この考案のオフセット型ドライバーは、前記ツール部１の保持部１ｂを角柱状とし、前記把持板２の嵌合孔２ａを前記ツール部１の保持部１ｂが丁度嵌り込む角孔としたものとしている。
【００１２】
さらに、この考案のオフセット型ドライバーは、前記把持板２の他端部にボルトやナットを嵌め込んで捩じ込んだり緩めたりする嵌合孔２ｂを貫通形成したものとしている。
【００１３】
また、この考案のオフセット型ドライバーは、前記把持板２を長手方向における中間位置で１０〜２０度の曲げ角度を持たせたものとしている。
【考案の効果】
【００１４】
この考案のオフセット型ドライバーは、以上に述べたように構成されているので、ホルダー部材が把持板の端部から突出することがなく、ビス等を捩じ込んだり緩めたりする作業に支障をきたすことなく、しかもホルダー部材が緩んでツール部の把持板への保持に支障をきたすことがないものとなる。
【考案を実施するための最良の形態】
【００１５】
以下、この考案のオフセット型ドライバーを実施するための最良の形態を、図面に基づいて詳細に説明する。
【００１６】
この考案のオフセット型ドライバーは、図１〜６に示したように、ツール部１、把持板２及びホルダー部材３とからなるものとしている。
【００１７】
前記ツール部１は、１〜３ｃｍ程度の短寸のビット等としており、一端側に先端部１ａを設け、中間部を保持部１ｂとし、他端側に基端部１ｃを一体的に設けたものとし、この保持部１ｂには、後に述べる把持板２の板厚ｔと略同一の間隔をあけてリング状の係止溝４ａ、４ｂを凹設したものとしている。なお、前記先端部１ａは、図示したものでは六角頭としているが、プラス頭、マイナス頭、六角穴など、ドライバーによる作業に適したものとすることができる。また、前記保持部１ｂは、図示したものでは六角柱状としているが、四角柱、八角柱などの角柱状とすることができる。さらに、前記基端部１ｃは、図示したものでは保持部１ｂに延設した六角頭状としているが、丸頭など任意の形状とすることができる。
【００１８】
前記把持板２は、板厚ｔの細長の金属板等からなり、その一端部には嵌合孔２ａが貫通形成されている。この嵌合孔２ａは、例えば六角孔として、前記ツール部１の保持部１ｂが回動不能に嵌り込むように、その保持部１ｂが丁度嵌り込む形状、寸法としている。さらに、前記把持板２は、その他端部にも嵌合孔２ｂを貫通形成したものとすることができる。この嵌合孔２ｂは、六角ボルトや六角ナット等を捩じ込んだり緩めたりするために設けられており、その六角ボルトや六角ナット等が丁度嵌り込む形状、寸法としている。なお、前記把持板２の嵌合孔２ａは、ツール部１の保持部１ｂを四角柱、八角柱などの六角柱以外の角柱状にした場合には、六角孔ではなくその角柱に応じた角孔が貫通形成されるのはいうまでもない。なお、前記把持板２の板厚ｔは、１〜３ｍｍ程度にすることができるが、ドライバーとして使用できる強度を有する板厚であれば特に限定されない。
【００１９】
また、前記把持板２は、図７〜１２に示したように、長手方向における略１／３長の位置で１０〜２０度の曲げ角度を持たせたものとすることもできる。このようにすることにより、狭い作業空間において把持板２をその作業面から浮き上がらせることができ、把持板２が把持し易いものとなる。
【００２０】
前記ホルダー部材３は、硬鋼線などの弾線からなるＣリングとしており、ツール部１の保持部１ｂに凹設した係止溝４ａ、４ｂにそれぞれ嵌り込む内径を有するものとしている。
【００２１】
そして、これらツール部１、把持板２及びホルダー部材３とからなるこの考案のオフセット型ドライバーを組み立てるには、先ず把持板２の六角孔２ａにツール部１を挿入するが、このツール部１の保持部１ｂには、把持板２の板厚ｔと略同一の間隔をあけてリング状の係止溝４ａ、４ｂを凹設したものとしているので、これら係止溝４ａ、４ｂの間に把持板２を配置した場合、把持板２の表裏面には係止溝４ａ、４ｂが近接して露出する。この状態で把持板２の表面及び裏面に沿ってＣリングとしたホルダー部材３を摺動させ、このホルダー部材３をツール部１の係止溝４ａ、４ｂに嵌め込むことにより、ツール部１を把持板２に回動不能に保持することができる。
【００２２】
以上のように構成したこの考案のオフセット型ドライバーは、短寸のツール部１がホルダー部材３によって把持板２に、そのホルダー部材３が把持板２から大きく突出することなく、回動不能に保持されるので、狭い作業空間において、把持板２の他端部を手で把持して、ビス等を捩じ込んだり緩めたりする作業に適したものとなる。
【図面の簡単な説明】
【００２３】
【図１】この考案のオフセット型ドライバーの一実施形態を示す斜視図である。
【図２】図１に示すこの考案のオフセット型ドライバーの分解斜視図である。
【図３】図１に示すこの考案のオフセット型ドライバーの側面図である。
【図４】図１に示すこの考案のオフセット型ドライバーの平面図である。
【図５】図１に示すこの考案のオフセット型ドライバーの底面図である。
【図６】図４中のＡーＡによるこの考案のオフセット型ドライバーの断面図である。
【図７】この考案のオフセット型ドライバーの他の実施形態を示す斜視図である。
【図８】図７に示すこの考案のオフセット型ドライバーの分解斜視図である。
【図９】図７に示すこの考案のオフセット型ドライバーの側面図である。
【図１０】図７に示すこの考案のオフセット型ドライバーの平面図である。
【図１１】図７に示すこの考案のオフセット型ドライバーの底面図である。
【図１２】図１０中のＢーＢによるこの考案のオフセット型ドライバーの断面図である。
【図１３】従来のオフセット型ドライバーの一例を示す斜視図である。
【図１４】図１３に示す従来のオフセット型ドライバーの分解斜視図である。
【符号の説明】
【００２４】
１  ツール部
１ｂ  保持部
２  把持板
２ａ  嵌合孔
２ｂ  嵌合孔
３  ホルダー部材
４ａ  係止溝
４ｂ  係止溝
ｔ  板厚
【図１】
0003138557.tif 000003
【図２】
0003138557.tif 000004
【図３】
0003138557.tif 000005
【図４】
0003138557.tif 000006
【図５】
0003138557.tif 000007
【図６】
0003138557.tif 000008
【図７】
0003138557.tif 000009
【図８】
0003138557.tif 000010
【図９】
0003138557.tif 000011
【図１０】
0003138557.tif 000012
【図１１】
0003138557.tif 000013
【図１２】
0003138557.tif 000014
【図１３】
0003138557.tif 000015
【図１４】
0003138557.tif 000016